(57)【要約】【課題】  文字や電話番号を容易に読み取ったり理解できない使用者であっても、特定の相手からの着信であることを認識して応答することができる電話機を提供する。【解決手段】  予め登録された発信先電話番号に対応するＬＥＤを設けたワンタッチ発信ボタン１４−１〜１４−３と、着信から相手先電話番号を抽出する機能と、前記発信先電話番号と前記相手先電話番号を比較する機能とを有し、前記相手先電話番号が前記発信先電話番号であるときに、該当するワンタッチ発信ボタンを点灯表示させた識別機能ボタンを装備した電話機１。【選択図】        図１
2005033719.tif 000002
【特許請求の範囲】
【請求項１】
予め登録された発信先電話番号に対応して設けたワンタッチ発信ボタンを有する識別表示機能ボタンを装備した電話機において、
着信から相手先電話番号を抽出する機能と、
着信から抽出した相手先電話番号を予め登録された発信先電話番号と比較する機能と、
ワンタッチ発信ボタンを点灯表示する機能と、
着信から抽出した相手先電話番号がワンタッチ発信ボタンに対応して予め登録された発信先電話番号であるときに、該当するワンタッチ発信ボタンを点灯表示させる機能と、
を具備し、予め登録された発信先電話番号からの着信を該当するワンタッチ発信ボタンに表示することを特徴とする識別表示機能ボタンを装備した電話機。
【請求項２】
ＬＥＤ駆動制御機能を具備するとともに、ワンタッチ発信ボタンにＬＥＤを設けてワンタッチ発信ボタンを点灯表示する機能とした請求項１に記載の識別表示機能ボタンを装備した電話機。
【請求項３】
予め登録された発信先電話番号からの着信に応答できないときに、ワンタッチ発信ボタンに未応答着信があることを継続して表示させるようにした請求項１に記載の識別表示機能ボタンを装備した電話機。
【請求項４】
着信があってからの時間の経過に合わせて未応答着信があることの継続表示を変化させた請求項３に記載の識別表示機能ボタンを装備した電話機。
【発明の詳細な説明】
【技術分野】
【０００１】
携帯電話機などの通信端末装置に関する。
【背景技術】
【０００２】
電話機においては，着信時に着信信号の発信者番号から相手名称や相手先電話番号等を抽出してＬＣＤ等の表示器に表示させるとともに相手先に対応した着信メローディーを奏鳴して、使用者に着信相手を通知し、使用者が表示内容を理解して着信相手を確認していた（例えば、特許文献１参照）。
【０００３】
また、着信相手名称や相手先電話番号を着信履歴としてメモリに格納し、着信があったことを表示画面に表示することが提案されている（例えば、特許文献２参照）。しかしながら着信履歴を保存しても、着信履歴画面を開かなければ発信者を知ることができず、文字を読むことが困難になっている老人や文字を読めない幼児には利用することが困難であった。
【特許文献１】特開２０００−１２４９８７号公報
【特許文献２】特開２０００−２７８３９９号公報
【発明の開示】
【発明が解決しようとする課題】
【０００４】
従来の電話機では、使用者が幼稚園児や低学年の小学生などの子供もしくは高齢の老人であるときには、ＬＣＤ表示器の数字や文字表示を見て相手を容易に判断するのが困難な場合がある。また、これらの使用者が着信に対して応答できなかった場合、発信者を認識した上でダイヤルしなければならず、上記のような使用者におり返し電話を促すのは、困難なことがある。さらに、ＬＣＤ表示器への表示が電話番号のみであるときには、相手が誰であるかを認識せずに応答してしまう場合がある。
【０００５】
本発明は、ＬＣＤに表示された文字や電話番号を容易に読み取ったり理解できない使用者であっても、特定の相手からの着信であることを認識して応答することができる電話機を提供することを目的とする。
【０００６】
また、本発明は、着信に応答できなかった場合でも着信があったことを容易に判断でき、おり返し電話することが可能な電話機を提供することを目的とする。
【０００７】
さらに、本発明は、着信を放棄した着信に対して、着信からの時間の経過の度合いを確認して応答できる電話機を提供することを目的とする。
【課題を解決するための手段】
【０００８】
上記課題を解決するために、本発明は、予め登録した発信先電話番号に対応した着信応答ボタンとしても機能するワンタッチ発信ボタンにＬＥＤによる表示機能を追加したＬＥＤ表示付ワンタッチボタンを電話機に装備した。
【０００９】
本発明は、着信を放棄した着信や不在着信に対して、着信からの時間経過に応じて、ＬＥＤ表示付ワンタッチボタンの点灯色を変える、または点滅の周期を変える、もしくは点灯色と点滅周期の組み合せを変えるようにした。
【００１０】
本発明は、着信に応答できなかったときに、着信したＬＥＤ表示付ワンタッチボタンを点滅等可視表示させるようにした。
【００１１】
本発明は、予め登録された発信先電話番号に対応して設けたＬＥＤ表示付ワンタッチボタンを有する電話機において、着信から相手先電話番号を抽出する機能と、予め登録された発信先電話番号と、着信から抽出した相手先電話番号を予め登録された発信先電話番号と比較する機能と、ＬＥＤ表示付ワンタッチボタンに点灯機能を具備させ、ＬＥＤ表示付ワンタッチボタンに対応して予め登録された発信先電話番号から着信があったときに、該当するＬＥＤ表示付ワンタッチボタンを点灯させて登録された発信者からの着信を表示し、着信に応答できるようにした。
【００１２】
さらに、本発明は、予め登録された発信先電話番号からの着信に応答できないときに、ＬＥＤ表示付ワンタッチボタンに未応答着信があることを継続して表示させるようにした。このことにより、着信の応答できないときでも、その後、未応答着信があることが表示されたＬＥＤ表示付ワンタッチボタンを押し下げることによって、折り返し発信することができる。この未応答着信があることの表示は、ＬＥＤ表示付ワンタッチボタンの点灯色を変更すること、点灯を点滅表示させその周期を変えること、点灯色と点滅周期を変えることによって、緊急を要する状況、着信があってからの時間経過の状況など各種の状況を表示することができる。
【発明の効果】
【００１３】
電話機にＬＥＤ表示付ワンタッチボタンを装備することによって、ＬＥＤ表示付ワンタッチボタンを押下することにより、従来どおり登録しておいた発信先に発信することができる。着信に対しては、予めＬＥＤ表示付ワンタッチボタンに登録してある発信先電話番号から着信があった場合には、該当するＬＥＤ表示付ワンタッチボタンを点灯可視表示させることにより、容易に特定の相手と判断できる。
【００１４】
本発明は、着信時に、ＬＥＤ表示付ワンタッチボタンの点灯色や点滅周期を選択して表示することにより、誰からの電話で、どのくらい緊急なのかを容易に判断することが可能となり、さらに識別方法を簡略化することによって、幼稚園児などにも理解しやすく老人にも分かりやすく、着信相手と着信の緊急度などを知らせることができる。
【００１５】
さらに、本発明は、着信放棄や不在着信時など着信に応答できなかった場合には、該当するＬＥＤ表示付ワンタッチボタンを点滅させる等の可視表示して、着信からの時間の経過を通知して、折り返し電話を促すことが期待できる。
【発明を実施するための最良の形態】
【００１６】
図１を用いて、本発明にかかる識別表示機能ボタンを装備した電話機の外観を説明する。識別表示機能ボタンを装備した電話機１は、本体１０の表面に、ＬＣＤ表示部１１、通話開始ボタン１２、通話終了ボタン１３、ＬＥＤ表示付ワンタッチボタン１４−１〜１４−３、マイクロホン１５、レシーバ１６を備えている。さらに電話機１は、電波を送受信するアンテナ１７を備えている。
【００１７】
ＬＣＤ表示部１１は、発着信時に、発信先（相手先）電話番号や発信先（相手先）名称を表示したり、電池残量、受信電界強度などの各種情報を表示する手段である。
【００１８】
通話開始ボタン１２は、このボタンを押し下げることによって、ダイヤルした電話番号に発信し、さらに着信に応答するボタンであり、ＬＥＤ表示付ワンタッチボタン登録以外の相手先へ発信し、または着信に応答するボタンである。通話開始ボタン１２は、ＬＥＤ表示付ワンタッチボタンに登録された相手先からの着信に応答することもできる。
【００１９】
通話終了ボタン１３は、このボタンを押し下げることによって、通話を終了するボタンである。
【００２０】
ＬＥＤ表示付ワンタッチボタン１４−１〜１４−３は、予め発信先が登録されワンタッチ発信を行うボタンであり、これを押し下げることによって、登録された発信先への発信動作を開始する。ＬＥＤ表示付ワンタッチボタン１４−１〜１４−３は、内蔵するＬＥＤによって点灯や点滅状態となるように構成され、着信時に、登録された相手から着信があったことをＬＥＤを点灯することによって通知し、ＬＥＤが点灯したボタンを押し下げることにより登録された相手先からの着信に応答する。
【００２１】
また、ＬＥＤ表示付ワンタッチボタン１４−１は、ワンタッチ発信時以外の発信時に数字（ダイヤル番号）をＬＣＤ表示部１１へ表示する数字送り（左送り）キーとしても働く。
【００２２】
ＬＥＤ表示付ワンタッチボタン１４−２は、ワンタッチ発信時以外の発信時に数字（ダイヤル番号）を選択し決定するなどの決定キーとしても働く。
【００２３】
ＬＥＤ表示付ワンタッチボタン１４−３は、ワンタッチ発信時以外の発信時に数字（ダイヤル番号）をＬＣＤ表示部１１へ表示する数字送り（右送り）キーとしても働く。
【００２４】
マイクロホン１５は、相手先へ音声を送出する手段である。
【００２５】
レシーバ１６は、相手先からの音声などを出力するスピーカである。
【００２６】
上記外観を有する電話機１の機能構成を、図２を用いて説明する。本発明にかかる識別表示機能ボタンを装備した電話機１は、ＬＣＤ表示部１１と、通話開始ボタン１２と、通話終了ボタン１３と、ＬＥＤ表示付ワンタッチボタン１４−１，１４−２，１４−３と、マイクロホン１５と、レシーバ１６と、アンテナ１７と、データ制御処理部１８と、データ入力処理部１９と、ＬＣＤ駆動制御部２０と、無線制御およびデータ送受信部２１と、音声処理部２２と、ＬＥＤ駆動制御部２３と、制御記憶回路２４と、状態格納回路１５と、登録番号記憶回路２６と、無線送受信装置２７と、バイブレータ２８と、バイブレータ制御部２９とを有して構成される。
【００２７】
ＬＣＤ表示部１１、通話開始ボタン１２、通話終了ボタン１３、ＬＥＤ表示付ワンタッチボタン１４−１，１４−２，１４−３、マイクロホン１５、レシーバ１６、アンテナ１７は、前述の機能を有している。
【００２８】
データ制御処理部１８は、電話機全体を動作させる指令を送出したり受信したりデータを処理する機能を有している。
【００２９】
データ入力処理部１９は、ボタンの状態が入力され、データ制御処理部１８へ送出する機能を有している。
【００３０】
ＬＣＤ駆動制御部２０は、データ制御処理部１８からの指令によりＬＣＤ表示部１１を制御する機能を有している。
【００３１】
無線制御およびデータ送受信部２１は、無線送受信装置２７を制御し、データを送出したり受信したりする機能を有している。
【００３２】
音声処理部２２は、データ制御処理部１８からの指令により、無線制御およびデータ送受信部２１から送出されたデータをデータ変換しレシーバ１６に伝えたり、マイクロホン１５から受信したデータを変換して無線制御およびデータ送受信部２１へ送出する機能を有している。
【００３３】
ＬＥＤ駆動制御部２３は、データ制御処理部１８からの指令によりＬＥＤ表示部１１を制御する機能を有している。
【００３４】
制御記憶回路２４は、動作処理や基地局との指令内容が記憶されている記憶回路である。
【００３５】
状態格納回路１５は、電話機１の動作状態を格納しておく回路であり、ＬＥＤ表示付ワンタッチボタン番号をカウントするＬＥＤ表示付ワンタッチボタン番号カウンタと、ＬＥＤ表示付ワンタッチボタンごとに着信表示をした回数をカウントする着信表示回数カウンタと、ＬＥＤ表示付ワンタッチボタンごとに着信放棄した旨を後まで表示した回数をカウントする遅延着信通知表示回数カウンタが形成される。
【００３６】
登録番号記憶回路２６は、ＬＥＤ表示付ワンタッチボタン１４−１〜１４−３に対応した発信先電話番号を記憶する回路である。
【００３７】
無線送受信装置２７は、基地局とのやり取りをアンテナ１７から電波にして送信したり受信したりする機能を有している。
【００３８】
バイブレータ２８は、着信時に振動して着信を通知する装置である。
【００３９】
バイブレータ制御部２９は、データ制御処理部１８からの指令によりバイブレータ２８を制御する機能を有しており、複数の振動パターンから所定の振動パターンを選択してバイブレータ２８を振動させることができる。
【００４０】
図３〜図５を用いて、図１および図２に示した識別表示機能ボタンを装備した電話機１における着信時の動作を説明する。
【００４１】
図３は、ＬＥＤ表示付ワンタッチボタンに登録された電話機Ａからの着信動作を説明する図である。ＬＥＤ表示付ワンタッチボタン１４−１に登録された登録電話機Ａから識別表示機能ボタンを装備した電話機１に発信すると、公衆網は、電話機１を呼び出し、電話機１に着信する。
【００４２】
電話機１は、着信から、相手先電話番号を取り出して登録番号記憶回路２６に記憶されたＬＥＤ表示付ワンタッチボタンに登録された発信先電話番号との照合を行う。
【００４３】
照合の結果、着信が登録された発信先電話番号と一致するときには、該当するＬＥＤ表示付ワンタッチボタン１４−１のＬＥＤを点灯して可視表示するとともに着信音を奏鳴したりブザーを鳴動させて着信を通知する。この場合、ＬＥＤの発光色を選択することにより、またはＬＥＤの点滅周期を選択することにより、もしくはＬＥＤの発光色と点滅周期を選択することによって、着信の緊急度等の情報を併せて表示することが可能となる。
【００４４】
使用者は、該当するＬＥＤ表示付ワンタッチボタン１４−１が点灯表示されていることを見て登録された発信先電話番号（例えば、父親）からの着信と認識し、このＬＥＤ表示付ワンタッチボタン１４−１を押して着信に応答する。この場合、ＬＥＤ表示つきＬＥＤ表示付ワンタッチボタン１４−１の代わりに、通話開始ボタン１２を押し下げても同様に応答できる。その結果、登録電話機Ａとの間で通話できる。
【００４５】
図４を用いて、ＬＥＤ表示付ワンタッチボタンに登録されていない電話機からの着信動作を説明する。ＬＥＤ表示付ワンタッチボタン１４に登録されていない未登録電話機から識別表示機能ボタンを装備した電話機１に発信すると、公衆網は、電話機１を呼び出し、電話機１に着信する。
【００４６】
電話機１は、着信から、相手先電話番号を取り出して登録番号記憶回路２６に記憶されたＬＥＤ表示付ワンタッチボタンに登録された発信先電話番号との照合を行う。
【００４７】
照合の結果、着信が登録された発信先電話番号と一致しないときには、ＬＣＤ表示部１１に着信電話番号または発信者名称を表示し、着信メロディーやブザーを奏鳴して、通常の着信を通知する。
【００４８】
使用者は、応答する場合には、通話開始ボタン１２を押し下げて応答する。その結果、未登録電話機との間で通話できる。
【００４９】
図５を用いて、ＬＥＤ表示付ワンタッチボタンに登録された電話機からの着信時に応答できなかった場合の動作を説明する。ＬＥＤ表示付ワンタッチボタン１４−１に登録された登録電話機Ａから識別表示機能ボタンを装備した電話機１に発信すると、公衆網は、電話機１を呼び出し、電話機１に着信する。
【００５０】
電話機１は、着信から、相手先電話番号を取り出して登録番号記憶回路２６に記憶されたＬＥＤ表示付ワンタッチボタンに登録された発信先電話番号との照合を行う。
【００５１】
照合の結果、着信が登録された発信先電話番号と一致するときには、該当するＬＥＤ表示付ワンタッチボタン１４−１のＬＥＤを点灯して可視表示するとともに、着信音を奏鳴したりブザーを鳴動させて着信を通知する。
【００５２】
使用者がこの着信に応答できないときには、所定の時間が経過した後、呼び出しが切断される。電話機１は、ＬＥＤ付ＬＥＤ表示付ワンタッチボタン１４−１のＬＥＤを点灯し、着信があったこと相手先がこのボタンに登録された電話機Ａであることを通知する。
【００５３】
その後、使用者が、ＬＥＤの点灯しているＬＥＤ表示付ワンタッチボタン１４−１を押し下げると、公衆網を経由して電話機Ａを呼び出し、相手が応答すると両者の間で通話成立する。
【００５４】
次に、識別表示機能ボタンを装備した電話機１における上記した着信時の処理フローを、図６を用いて説明する。公衆網を介して他の電話機から着信があると、電話機１は、着信から発信者の電話番号を抽出し、発信者番号（相手先電話番号）を記憶する（Ｓ１）。次いで、ＬＥＤ表示付ワンタッチボタン番号カウンタの値を初期化（ｎ＝０）し（Ｓ２）、ＬＥＤ表示付ワンタッチボタンｎ＝０の着信表示回数カウンタの値を初期化（ｍ＝０）する（Ｓ３）。ＬＥＤ表示付ワンタッチボタンｎ＝０に登録された発信先電話番号とステップＳ１で記憶した発信者番号を読み出し（Ｓ４）、両者が一致するか否かを判断する（Ｓ５）。
【００５５】
ステップＳ５の判断で、ＬＥＤ表示付ワンタッチボタンｎ＝０に登録された発信先電話番号と発信者番号が一致したときには、当該ＬＥＤ表示付ワンタッチボタンｎ＝０の着信表示回数カウンタの値が０であるか否かを判断する（Ｓ６）。着信表示回数カウンタの値ｍが０であるときには、当該ＬＥＤ表示付ワンタッチボタンｎ＝０のＬＥＤを点灯するとともに着信鳴動させて着信表示を行った（Ｓ７）後、着信表示回数カウンタの値をｍ＝ｍ＋１にカウントアップする（Ｓ８）。
【００５６】
次いで、着信放棄にセットされているかまたは着信表示回数カウンタの値ｍが最大値に達したか否かを判断し（Ｓ９）、着信放棄でないときまたは着信表示回数カウンタの値ｍが最大値に達していないときには、当該ＬＥＤ表示付ワンタッチボタンｎ＝０の押し下げがあるか否かを判断する（Ｓ１０）。ＬＥＤ表示付ワンタッチボタンｎ＝０の押し下げがないときには通話開始ボタンの押し下げがあるか否かを判断する（Ｓ１１）。
【００５７】
ＬＥＤ表示付ワンタッチボタンｎ＝０または通話開始ボタンの押し下げがあったときには、当該ＬＥＤ表示付ワンタッチボタンが通話中であることを表示し（Ｓ１２）、発信者と通話する（Ｓ１３）。
【００５８】
ステップＳ１１において、ＬＥＤ表示付ワンタッチボタンｎ＝０の押し下げもなく通話開始ボタンの押し下げもないときには、ステップＳ６に戻る。
【００５９】
ステップＳ５の判断において、ＬＥＤ表示付ワンタッチボタンｎ＝０に登録された発信先電話番号と発信者番号が一致しないときには、ＬＥＤ表示付ワンタッチボタン番号カウンタの値ｎが最大値であるか否かを判断し（Ｓ１４）、最大値でないときには、ＬＥＤ表示付ワンタッチボタン番号カウンタの値をｎ＝ｎ＋１に更新し（Ｓ１５）、ステップＳ４に戻り、受信した相手先電話番号がＬＥＤ表示付ワンタッチボタン番号ｎ＝ｎ＋１に登録されたものであるかを判断する処理を行う。
【００６０】
ステップＳ１４における判断の結果、ＬＥＤ表示付ワンタッチボタン番号カウンタの値ｎが最大値であるときには、ＬＣＤ表示部１１に相手先電話番号や発信者名を表示するとともに着信鳴動するなどによって通常着信を表示し（Ｓ１６）、通常の着信処理を行う（Ｓ１７）。
【００６１】
ステップＳ６の判断で、ＬＥＤ表示付ワンタッチボタン着信表示回数カウンタの値ｎが０でない（ｎ＝ｎ＋１）ときには、当該ＬＥＤ表示付ワンタッチボタンｎのＬＥＤを点灯するとともに着信鳴動させて着信表示を行った後着信表示回数カウンタの値をｎ＝ｎ＋１にカウントアップする（Ｓ１８）。次いで、ＬＥＤ表示付ワンタッチボタンｎ（＝ｎ＋１）の着信表示回数カウンタの値ｍをｍ＋１に更新した（Ｓ１９）後、着信放棄にセットされているかまたは着信表示回数カウンタの値ｍが最大値に達したか否かを判断し（Ｓ２０）、着信放棄でないときまたは着信表示回数カウンタの値ｍが最大値に達していないときには、ステップＳ１０の処理に移行する。
【００６２】
ステップＳ２０の判断で、着信放棄にセットされているときまたは着信表示回数カウンタの値ｍが最大値に達したときには、着信を放棄した後ＬＥＤ表示付ワンタッチボタンｎに不在着信を表示する（Ｓ２１）。その後、再び着信があるか否かを監視し（Ｓ２２）、着信があるときにはステップＳ１に戻って、新たな着信処理を行う。
【００６３】
ステップＳ９判断において、着信放棄に設定されていないときまたは着信表示回数カウンタの値ｍが最大値に達していないときには、ＬＥＤ表示付ワンタッチボタンｎに着信があったことを後まで表示する回数ｐをカウントする遅延着信通知表示回数カウンタを初期化（ｐ＝０）する（Ｓ２３）。その後、ＬＥＤ表示付ワンタッチボタンｎに不在着信を表示し（Ｓ２４）、一定時間の経過を監視する（Ｓ２５）。ステップＳ２２の着信監視において、着信がないときにもこのステップＳ２５において、一定時間の経過を監視する。
【００６４】
ステップＳ２５において、不在着信の表示が一定時間経過すると、ＬＥＤ表示付ワンタッチボタンｎへの遅延着信通知表示回数カウンタの値ｐが０であるか否かを判断し（Ｓ２６）、ｐ＝０のときは、ＬＥＤ表示付ワンタッチボタンｎに、Ｐ＝０回の遅延着信通知表示方法または着信鳴動もしくはバイブレータ振動パターンによって着信があったことを表示する（Ｓ２７）。
【００６５】
次いで、ＬＥＤ表示付ワンタッチボタンｎの押し下げがあるか否かを監視し（Ｓ２７）、ＬＥＤ表示付ワンタッチボタンｎの押し下げがあったときには、ＬＥＤ表示付ワンタッチボタンｎの発信中表示を行って（Ｓ２８）、ワンタッチ発信を行う（Ｓ２９）。
【００６６】
ステップＳ２７において、ＬＥＤ表示付ワンタッチボタンの押し下げがないときには、一定時間の経過を監視し（Ｓ３０）、一定時間が経過しないときには、ステップＳ２６に戻り、一定時間が経過したときには、ＬＥＤ表示付ワンタッチボタンｎの遅延着信通知表示回数カウンタをｐ＝ｐ＋１に更新する（Ｓ３１）。その後、ステップＳ２５に戻る。
【００６７】
ステップＳ２６の判断において、ＬＥＤ表示付ワンタッチボタンｎの遅延着信通知表示回数ｐが０でないときには、ＬＥＤ表示付ワンタッチボタンｎに、Ｐ＝ｐ＋１回の遅延着信通知表示方法または着信鳴動もしくはバイブレータ振動パターンによって着信があったことを表示する（Ｓ３２）。その後ステップＳ２７へ移行する。
【００６８】
このようにして、本発明の電話機に着信があったときには、その着信がＬＥＤ表示付ワンタッチボタンに登録された発信先電話番号からの着信であるかを判断し、登録された発信先電話番号からの着信であるときは、該当するＬＥＤ表示付ワンタッチボタンのＬＥＤを点灯させて、特定の相手先からの着信を表示することができるとともに、応答するときには、そのＬＥＤ表示付ワンタッチボタンまたは通話開始ボタンを押し下げることによって着信に応答することができる。
【００６９】
また、着信時に応答できないときには、該当するＬＥＤ表示付ワンタッチボタンに着信があったことを当該ＬＥＤ表示付ワンタッチボタンに後まで着信からの時間の経過がわかるように表示させ、後刻、当該ＬＥＤ表示付ワンタッチボタンから発信することができる。
【実施例１】
【００７０】
本発明の実施例を説明する。本発明において、特定の発信者（ＬＥＤ表示付ワンタッチボタンに対応して登録された発信者番号）からの発呼信号の発信者電話番号に、緊急度や優先度を示す情報を併合して送信し、電話機において、発呼信号から緊急度や優先度を示す情報を抽出し、この情報に合わせてＬＥＤ表示付ワンタッチボタンの表示方法を変更することによって、着信に応答する前に緊急度や優先度を知ることができる。
【産業上の利用可能性】
【００７１】
本発明は、携帯電話機などの移動通信端末装置に適用することができる。
【図面の簡単な説明】
【００７２】
【図１】本発明にかかる識別表示機能ボタンを装備した電話機の外観を示す図
【図２】本発明にかかる識別表示機能ボタンを装備した電話機の機能構成の概要を説明するブロック図
【図３】本発明にかかる識別表示機能ボタンを装備した電話機に登録されている電話番号からの着信に応答する状況を説明する図
【図４】本発明にかかる識別表示機能ボタンを装備した電話機に登録されていない電話番号からの着信に応答する状況を説明する
【図５】本発明にかかる識別表示機能ボタンを装備した電話機に登録されている電話番号から着信に応答できなかった場合に返信する状況を説明する
【図６】本発明にかかる識別表示機能ボタンを装備した電話機における着信時の処理を説明するフロー図
【符号の説明】
【００７３】
１  識別表示機能ボタンを装備した電話機
１０  本体
１１  ＬＣＤ表示部
１２  通話開始ボタン
１３  通話終了ボタン
１４  ＬＥＤ表示付ワンタッチボタン（ＬＥＤ表示付ワンタッチボタン）
１５  マイクロホン
１６  スピーカ
１７  アンテナ
１８  データ制御処理部
１９  データ入力処理部
２０  ＬＣＤ駆動制御部
２１  無線制御およびデータ送受信部
２２  音声処理部
２３  ＬＥＤ駆動制御部
２４  制御記憶回路
２５  状態格納回路
２６  登録番号記憶回路
２７  無線送受信回路
２８  バイブレータ
２９  バイブレータ制御部
【図１】
2005033719.tif 000003
【図２】
2005033719.tif 000004
【図３】
2005033719.tif 000005
【図４】
2005033719.tif 000006
【図５】
2005033719.tif 000007
【図６】
2005033719.tif 000008